(57)【要約】【課題】複数種類の電子機器（例えば携帯電話機等）に接続するための複数種類の充電コネクターを狭いスペースに配置して構成パーツを少なくして小型軽量化を可能とするとともに、電子機器と充電器の組み合わせを任意に選択できる充電源装置を提供する。【解決手段】充電源装置が、回路部と、それぞれが複数種類のコネクターを有する第１のコネクター部、および第２のコネクター部と、を備えた本体を有し、前記回路部に２次電池を設け、前記第１のコネクター部が、前記本体が有する第１の支持部に回転可能に支持される第１の回転ヘッド部を有して、前記第１の回転ヘッド部に前記複数種類のコネクターを設けて、前記第１のコネクター部の任意のコネクターに電子機器を電気的に接続できるとともに、前記第２のコネクター部の任意のコネクターに外部電源のコネクターを接続できる構成とする。【選択図】図１
2011182566.tif 000002
【特許請求の範囲】
【請求項１】
回路部と、
それぞれが複数種類のコネクターを有する第１のコネクター部および第２のコネクター部と、を備えた本体を有し、
前記回路部に２次電池を設け、
前記第１のコネクター部が、前記本体が有する第１の支持部に回転可能に支持される第１の回転ヘッド部を有して、前記第１の回転ヘッド部に前記複数種類のコネクターを設け、前記第１のコネクター部の任意のコネクターに電子機器を電気的に接続できるとともに、前記第２のコネクター部の任意のコネクターに外部電源のコネクターを接続できるように構成したことを特徴とする充電源装置。
【請求項２】
請求項１に記載の充電源装置において、
前記第２のコネクター部が、前記本体がさらに有する第２の支持部に回転可能に支持された第２の回転ヘッド部を有して、前記第２の回転ヘッド部に前記複数種類のコネクターを設けたものであることを特徴とする充電源装置。
【請求項３】
前記第１のコネクター部を覆う第１の蓋部と、
前記第２のコネクター部を覆う第２の蓋部と
のいずれか一方または双方を有し、
前記第１の蓋部および／もしくは前記第２の蓋部を前記本体に連結させる連結部を備えたことを特徴とする請求項１または２に記載の充電源装置。
【請求項４】
前記回路部がメモリー回路部を備えたことを特徴とする請求項１に記載の充電源装置。
【発明の詳細な説明】
【技術分野】
【０００１】
本発明は、バッテリーで駆動される電子機器に電気的に接続され、当該電子機器を駆動および充電の、いずれか一方または双方をすることができる充電源装置に関するものである。
【背景技術】
【０００２】
一般にバッテリー駆動される電子機器、たとえば携帯電話機等の携帯電子機器は、リチウムイオン電池等の２次電池を電源として動作するものであり、２次電池は、コネクターや充電ケーブル等を介して商用電源を用いる専用充電器に接続されて充電されるようになっている。
【０００３】
こうした携帯電子機器では、たとえば外出先等で商用電源を使用できない状況下において、２次電池が放電した場合（いわゆる電池切れの場合）には、１次電池や２次電池等を内蔵等した携帯可能な外部電源（外部電源は、一般に携帯電子機器を駆動するとともに、携帯電子機器の内蔵電池を充電するための充電源装置として動作する）を携帯電子機器の充電コネクター等に接続しなければ、その動作を維持することができない。ところが、たとえば携帯電子機器等の販売会社等が相違するときには、充電用コネクター等も相違することがある。
【０００４】
たとえば携帯電話機では、携帯電話会社によって携帯電話機のインターフェイスコネクター（充電用コネクターとしても使用される）が相違する等して、異なる携帯電話会社の携帯電話機を複数所有しているユーザーは、それぞれのインターフェイスコネクターに適合するコネクターを備えた複数種類の専用充電器を必要とし、さらに外出先等を考慮すると複数種類の携帯可能な外部電源を用意しなければならない。
【０００５】
またゲーム機やデジタルカメラ等の携帯電子機器においても、販売会社や機種等の相違によって、充電用コネクターがミニＵＳＢコネクターや丸型ピンプラグ等とそれぞれ相違するから、携帯電話機と同様に、専用充電器と外部電源がそれぞれ複数種類必要になる。
【０００６】
こうしたことを背景に、充電用コネクター等を複数種類備えた充電器等が提案されている。たとえば、特許文献１には、電気的に接続された複数の薄型電池を同一平面状に配置した電池パック部と、電池パック部を携帯電話機の背面に着脱自在に装着する固定手段と、電池パック部の正負電極に接続された一対の弾性リード端子を有し、この弾性リード端子の他端側の接触接点が携帯電話機の充電用接点に弾性的に接触可能な接続端子部（充電コネクターと同様の機能を奏する）を備えた携帯電話機用充電器が開示されている。
【０００７】
かかる帯電話機用充電器は、小型、薄型および軽量化でき、かつ充電しながら通話でき、また大別して２種類しか存在しない携帯電話機の充電用接点に対応する第１および第２の接続端子部を備えて、これら接続端子部を選択的に電池パック部に着脱自在に連結するだけで、全ての機種の携帯電話機の駆動および充電に対応できるとされている。
【０００８】
特許文献２に開示された移動通信機用汎用充電器は、充電器本体と充電用ケーブルとを有し、充電器本体にメスコネクター（コネクターＡおよびＢ）を配し、充電用ケーブルが、その一端にコネクターＡに嵌合するオスコネクター（コネクターａ）を、その他端にコネクターＢに嵌合するオスコネクター（コネクターｂ）を備えて、コネクターａを充電器本体のコネクターＡに差し込むことで、コネクターｂで携帯電話機等を充電し、またはコネクターｂを充電器本体のコネクターＢに差し込むことで、コネクターａで携帯電話機等を充電できる、とされる。かかる移動通信機用汎用充電器では、たとえば１本の充電用ケーブルで２種類の移動通信機等を充電できるとされている。
【０００９】
特許文献３には、嵌合形状の異なる複数種類の携帯電話機のインターフェイスコネクターにそれぞれ個別に接続される複数種類の接続コネクター（充電用コネクター）を有する携帯電話機用コネクターおよび携帯電話機用充電装置が開示されている。また複数種類の接続コネクターをコネクター体に配設して、これら接続コネクターの全てを、それぞれに対応するインターフェイスコネクターに嵌合する位置に可変できる携帯電話機用コネクターおよび携帯電話機用充電装置が開示されている。さらに電池を接続可能な電池接続端子（端子）を設け、電池および商用電源（商用電源を整流した直流電源）を接続することで、携帯電話機を充電できる携帯電話機用コネクターが開示されている。すなわち、接続コネクター（充電用コネクター）をインターフェイスコネクターに嵌合する位置に可変等することで、携帯電話機の複数のインターフェイスコネクターに接続できて、電池または商用電源等から複数種類の携帯電話機を駆動および充電する技術が開示されている。
【００１０】
特許文献４には、嵌合形状の異なる複数種類の携帯電話機のインターフェイスコネクターにそれぞれ個別に接続できる接続部を、円盤状、三角形、矩形、多角形、楕円形等の盤状、球体状、四面体、または直方体等の他面体状等に形成し、この接続部の周面に２個以上の接続コネクター（充電用コネクター）を設けた携帯電子機器用充電器が開示されている。
【先行技術文献】
【特許文献】
【００１１】
【特許文献１】特開２００７−２４２３４２号公報
【特許文献２】特開２００９−１７１８２２号公報
【特許文献３】特開２００４−１４６３１７号公報
【特許文献４】特開２００５−０４５９８９号公報
【発明の概要】
【発明が解決しようとする課題】
【００１２】
しかしながら、特許文献１に開示された携帯電話機用充電器は、その使用のためには、電池パック部や複数種類の接続端子部等の多くの構成パーツを携行等しなければならず、接続端子部の選択ミスおよび紛失等のおそれや、小型軽量化の観点から改善の余地があり、加えて電池パック部を携帯電話機の背面に装着するための固定手段の脱落等のおそれも否めない。また該携帯電話機用充電器は、全ての機種の携帯電話機の充電に対応できるといっても、電池パック部を携帯電話機の専用充電器で充電することはできない。
【００１３】
特許文献２に開示された移動通信機用汎用充電器は、その側面にたとえば２種類のメスコネクター（コネクターＡおよびＢ）を備えるものだから、その側面の面積を広くしなければならず、小型軽量化の観点から改善の余地があり、また少なくとも充電器本体、充電ケーブルの２つの構成パーツを必要とするから、構成パーツを紛失等するおそれがある。また、該移動通信機用汎用充電器は、複数機種の携帯電話機の充電に対応できるが、２次電池を電源として使用する場合に、この２次電池を複数種類の専用充電器を用いて充電するものではない。
【００１４】
特許文献３および４に開示された携帯電話機用コネクターおよび携帯電話機用充電装置は、
携帯電話機用コネクターおよび携帯電話機用充電装置が別個の構成パーツであるから、小型軽量化等の観点から改善の余地がある。また該携帯電話機用充電装置は、２次電池を用いる場合に複数種類機種の携帯電話機の充電に対応できるが、この２次電池を複数種類の専用充電器を用いて充電するものではない。
【００１５】
すなわち特許文献１ないし４に開示された携帯電話機用充電装置等は、いずれも複数の構成パーツ等を有しており、また複数種類機種の電子機器（たとえば携帯電話機）と複数種類機種の専電子機器と複数種類の専用充電器（外部電源）の組み合わせを任意に選択できるものではない。
【００１６】
本発明はこうした従来技術上の問題点を解決することを目的としたものであり、複数種類の電子機器（たとえば携帯電話機等）に接続するための複数種類の充電コネクターを狭いスペースに配置して、構成パーツを少なくして小型軽量化を可能とするとともに、個別パーツの紛失や持ち忘れを防ぐことができ、かつ、複数種類の電子機器を駆動および充電することができるとともに、充電源装置が備える２次電池を、複数種類の外部電源（たとえば携帯電子機器の専用充電器等）で充電できる充電源装置（すなわち電子機器と充電器の組み合わせを任意に選択できる充電源装置）を提供することを目的とする。
【００１７】
もちろん、外部電源に接続するための複数種類のコネクターを狭いスペースに配置し、かつ構成パーツを少なくすることが好ましい。
【００１８】
ここで外部電源として、パーソナルコンピューター等のデーター転送に使用されているＵＳＢコネクターから出力される電源を利用できるようにしてもよい。
【００１９】
また、このＵＳＢ端子にデーター記憶素子（メモリー素子）を接続しておき本発明を記憶装置機能（ＵＳＢメモリー）を持たせれば、本発明の充電源装置の利便性が高まる。
【００２０】
もちろん充電源装置と接続されるコネクターは、防塵対策にすぐれたものであることが好ましい。
【課題を解決するための手段】
【００２１】
かかる課題を解決するため、本発明の請求項１に係る充電源装置は、回路部と、それぞれが複数種類の外部機器充電用コネクターを有する第１のコネクター部、および複数種類の２次電池充電用のコネクターを有する第２のコネクター部と、を備えた本体を有し、前記回路部に２次電池を設け、前記第１のコネクター部が、前記本体が有する支持部に回転可能に支持される第１の回転ヘッド部を有して、前記第１の回転ヘッド部に前記複数種類の出力コネクターを設け、前記第１のコネクター部の任意の出力コネクターに電子機器を電気的に接続できるとともに、前記第２のコネクター部の任意の入力コネクターに外部電源のコネクターを接続できるようになっている。
【００２２】
当該充電源装置は、上記のように構成されて、前記本体部が前記回路部、前記第１のコネクター部および前記第２のコネクター部を一体的に備えている。
【００２３】
また当該充電源装置では、前記第１のコネクター部は、前記第１の回転ヘッド部に前記複数種類の出力コネクターを設けているから、前記第１のコネクター部の前記複数種類の出力コネクターを、それぞれ前記本体の周面に設けた場合に比べて、当該充電源装置の小型軽量化に寄与することができる。
【００２４】
さらに当該充電源装置では、前記第１のコネクター部の出力コネクターに前記電子機器を電気的に接続し、かつ駆動または充電する際に、前記電子機器のコネクター（たとえば充電コネクター）に適合する出力コネクターを選択的に接続することができ、また前記第２のコネクター部に前記外部電源（たとえば充電器）を接続し、かつ前記外部電源で前記２次電池や前記電子機器の内蔵２次電池を充電する際に、前記外部電源のコネクター（たとえば電源出力コネクター）に適合する入力コネクターを選択的に接続することができる。もちろん当該充電源装置は、前記電子機器を駆動することもできる。
【００２５】
このように、当該充電源装置は、前記電子機器と前記外部電源の組み合わせを任意に選択することができる。
【００２６】
上記の構成において、請求項２のように、請求項１に記載の充電源装置において、前記第２のコネクター部が、前記本体がさらに有する第２の支持部に回転可能に支持された第２の回転ヘッド部を有して、前記第２の回転ヘッド部に前記複数種類の入力コネクターを設けたものであれば、前記第２のコネクター部の前記複数種類の入力コネクターを、それぞれ前記本体の周面に設けた場合に比べて、当該充電源装置の小型軽量化に寄与することができる。すなわち、請求項２に記載の充電源装置は、請求項１に記載の充電源装置よりも、さらに小型軽量化が可能である。
【００２７】
さらに請求項３のように、当該充電源装置が、前記第１のコネクター部を覆う第１の蓋部と、
前記第２のコネクター部を覆う第２の蓋部とのいずれか一方または双方を有し、前記第１の蓋部および／もしくは前記第２の蓋部を前記本体に連結させる連結部を備えていれば、前記第１および第２のコネクター部の前記複数種類のコネクターを埃等から保護できて（防塵対策に優れて）好ましい。もちろん前記本体に連結された前記第１および第２の蓋部は、前記本体と一体的に携行等できるから、紛失等のおそれがない。
【００２８】
また請求項４のように、前記回路部にメモリー回路部を備えた当該充電源装置であれば、当該充電源装置とパーソナルコンピューターとをＵＳＢケーブルで接続して、前記パーソナルコンピューターの電源で当該充電源装置の２次電池を充電しながら前記パーソナルコンピューターからの各種データーを前記メモリー回路に転送し保持することができるから、たとえばＵＳＢメモリー等の別構成パーツ等を充電源装置と別に携行する必要がなく、より充電源装置の利便性が高まる。
【発明の効果】
【００２９】
本発明によれば、充電源装置の構成パーツを可能な限り少なくして、充電源装置の小型軽量化を可能とするとともに、個別パーツの紛失や持ち忘れを防ぐことができ、複数の電子機器（たとえば携帯電話機等）に接続するための複数種類の充電コネクター（第１のコネクター部のコネクター）を狭いスペースに配置して、電子機器を駆動および充電することができ、携帯電子機器と外部電源（たとえば充電器）の組み合わせを任意に選択できる充電源装置を提供することができる。
【００３０】
また各コネクターを覆う蓋部を備えることで、コネクターの防塵対策にすぐれた充電源装置充電源装置を提供することができる。さらに充電源装置がメモリー回路を備えることで、別構成パーツ等を充電源装置と別に携行する必要がなく、小型軽量化でより利便性が高い充電源装置を提供することができる。
【図面の簡単な説明】
【００３１】
【図１】本発明の一実施形態に係る充電源装置の正面図である。
【図１Ａ】図１に示す充電源装置の蓋部を閉じた状態の正面図である。
【図１Ｂ】本発明の充電源装置の一実施態様であるひな形の蓋部を閉じた状態の正面図である。
【図１Ｃ】本発明の充電源装置の一実施態様であるひな形の蓋部を開放させた状態の斜視図である。
【図２】図１に示す充電源装置の回路部の構成例を示す図である。
【図３】図１に示す充電源装置の第一の変形例の斜視図である。
【図４】図１に示す充電源装置の第二の変形例の正面図である。
【図５】図１に示す充電源装置の第三の変形例の正面図である。
【図６】図５に示す充電源装置の変形例を示す正面図である。
【発明を実施するための形態】
【００３２】
以下、図面を参照して本発明を実施するための形態について説明する。なお、以下では、本発明の目的を達成するための説明に必要な範囲を模式的に示し、本発明の該当部分の説明に必要な範囲を主に説明することとし、説明を省略する箇所については公知技術によるものとする。なお本発明を実施するための形態については、電子機器を携帯電話機とした場合を例に説明する。
【００３３】
図１は、本発明の一実施形態に係る充電源装置１の正面図である。充電源装置１は、第１のコネクター部１０、第２のコネクター部２０、第１の蓋部４０および回路部５０（図２参照）、を備えた本体３０を有している。本体３０は、第１の側面３１、第２の側面３２、上面３３、底面３４、前面３５及び背面３６を備えた略直方体形状を有している。なお、図１Ａは図１に示す充電源装置の蓋部を閉じた状態の正面図、図１Ｂは本発明の充電源装置の一実施態様であるひな形の蓋部を閉じた状態の正面図、図１Ｃは当該ひな形の蓋部を開放させた状態の斜視図、をそれぞれ表している。
【００３４】
第１のコネクター部１０は、第１の回転ヘッド部１１を有しており、第１の回転ヘッド部１１は、本体３０とほぼ同一の厚さを有する直方体形状を有して、第１の回転ヘッド部１１の第１の面１１ａには第１の出力コネクター１２が、第１の面１１ａと相対する第２の面１１ｂには第２の出力コネクター１３が、それぞれ設けられている。
【００３５】
ここで第１の出力コネクター１２及び第２の出力コネクター１３は、現在日本で主流の携帯電話会社の大手３社が採用しているインターフェイスコネクターの２種類のものに適合する（嵌合できる）コネクターを１個ずつ設けたもので、使用者の手持ちの携帯電話機に嵌合できるようになっている。かくして第１のコネクター部１０は、第１の出力コネクター１２及び第２の出力コネクター１３を少ないスペースに配置でき、充電源装置１の小型軽量化を可能としている。
【００３６】
第２のコネクター部２０は、本体３０の第１の側面３１の任意の位置に設けられた第１の入力コネクター２１と、本体３０の第２の側面３２の任意の位置に設けられた第２の入力コネクター２２を有している。これら第１の入力コネクター２１及び第２の入力コネクター２２は、２種類のインターフェイスコネクター（携帯電話機側と同一形式のコネクター）を１個ずつ設けたもので、使用者の手持ちの専用充電器のコネクターを嵌合できるようになっている。
【００３７】
本体３０の上面３３側には、略コ字形状の凹部３７が形成されている。凹部３７は、本体３０の前面３５及び背面３６側で開口する一方、本体３０の第１の側面３１側には、第１の壁面３７ａが、この第１の壁面３７ａに相対する側には、第２の壁面３７ｂが、そして本体３０の底面３４側には底面３７ｃがそれぞれ形成されている。かくして第１の出力コネクター１２を本体３０の上面３３側に直立して突出するように位置づけたときには、第２の出力コネクター１３が、凹部３７の底面３７ｃに相対して位置づけられる。
【００３８】
支持部３８は、凹部３７の第１の壁面３７ａ側に回転軸部３８ａを、凹部３７の第２の壁面３７ｂ側に回転軸部３８ｂを、それぞれ有して、第１のコネクター部１０を１８０度以上好ましくは３６０度以上回転可能に支持することで、第１の出力コネクター１３及び第２の出力コネクター１２を上面３３側に直立するように位置づけることができる。ここで、第１の出力コネクター１２または第２の出力コネクター１３の嵌合面と、底面３７ｃとの間隔ができるだけ狭くなるように、凹部３７の底面３７ｃを位置づければ防塵性が高まって好適である。
【００３９】
第１図中の４０はカバー部である。第１の蓋部４０は、ヒンジ部４１で本体３０の第２の側面３２の上部に連結されていて、第１の蓋部４０を閉じると、第１の蓋部４０のヒンジ部４１と相対する端部に設けられた係合部４２が、本体３０の第１の側面３１の上部に係合して、第１の蓋部４０が、意図せず開くことを防止するとともに、本体３０の上面３３と第１のコネクタ部１０を覆うようになっている。
【００４０】
かかる第１の蓋部４０がなくても本発明の実施は可能だが、第１の蓋部４０を閉じることとで、本体３０の上面３３側に位置づけられた第１の出力コネクター１２または第２の出力コネクター１３の防塵性を高めることができる。
【００４１】
図２は、充電源装置１が有する回路部５０の一例を示すものである。回路部５０は、第２のコネクター部２０が有する第１の入力コネクター２１及び第２の入力コネクター２２から入力される電力を、第１のコネクター部１１が有する第１の出力コネクター１２及び第２の出力コネクター１３に出力するようになっている。
【００４２】
また回路部５０は、入力された電力で２次電池５１を充電することができ、この２次電池５１の出力を、電圧安定化のための安定化回路５２を経て第１のコネクター部１０へ供給するようになっている。ここで回路部５０は、支持部３８を貫通するように位置づけられた図示しない配線部で、第１のコネクター部１０の第１の入力コネクター１２および第２の入力コネクター１３と電気的に接続されている。もちろん回路部５０は、安定化回路５２を有さずに、２次電池５１の出力を第１のコネクター部１０へ供給してもよい。
【００４３】
回路部５０は、さらにメモリー回路部５３とその入出力回路５４を有していてもよい。メモリー回路部５３と入出力回路５４を有していれば、第２のコネクター部２０にパーソナルコンピューターからのデータを入力することで、このデータをメモリーして、さらに第１のコネクター部１０に出力できる。あるいは、第１のコネクター部１０から第２のコネクター部２０にデータを転送等できる。このようにメモリー回路部５３と入出力回路５４を有することで充電源装置１を双方向のデータ転送装置として使用することができる。
【００４４】
上記のように構成された充電源装置１において、第２のコネクター部２０の第１の入力コネクター２１または第２の入力コネクター２２に、携帯電話機の専用充電器（図示せず）の充電コネクターを接続（嵌合）すれば、専用充電器で２次電池５１を充電することができる。
【００４５】
こうして充電された充電源装置１において、第１のコネクター部１０を回転させて、第１の出力コネクター１２または第１の出力コネクター１３を、選択的に本体３０の上面３３側に位置づけてから、携帯電話機（図示せず）のインターフェイスコネクターに嵌合すれば、携帯電話機を充電源装置１で駆動できるとともに、携帯電話機の内蔵２次電池を充電できる（充電源装置１を携帯等して携帯電話機を充電駆動できる）。
【００４６】
もちろん充電源装置１に、携帯電話機および充電器を接続して、充電源装置１の２次電池５１を充電しつつ、携帯電話機の内蔵２次電池を充電することもできる。このように、本発明の充電源装置によれば、たとえば携帯電話機とそれら専用充電器との組み合わせを任意に選択できるとともに、充電源装置の構成パーツを少なくすることができる（構成パーツを充電源装置と一体化できる）。
【００４７】
ここで、第２のコネクター部２０が、第１のコネクター部１０と同様な第２の回転ヘッド部（図示せず）を備えることで、第１の入力コネクター２１および第２の入力コネクター２１を、本体３０に対して回転可能に支持すれば、第２のコネクター部２０も小型化できるから、充電源装置１をさらに小型軽量化できる。
【００４８】
図３は、本発明の第一の変形例に係る充電源装置２の斜視図である。充電源装置１と同一の機能を有する構成要素には同一の符号を付してそれらの説明は省略する。充電源装置２では、第１のコネクター部１０Ａは、図３中の矢印Ｘ方向（あるいは矢印Ｘと反対方向に）少なくとも２７０度、好ましくは３６０度以上回転可能に支持されており、第１のコネクター部１０Ａの４つの面には、第１および第２の出力コネクター１２および１３に加え、例えばゲーム機用の第３の出力コネクター１４およびデジタルカメラ用の第４の出力コネクター１５の合計４つの出力コネクターが設けられている。もちろん第１〜第４の出力コネクター１２〜１５のいずれか一つを本体３０の上面３３側に直立させることができる。
【００４９】
このような充電源装置２は、４種類の電子機器（携帯電話会社の大手３社が採用しているインターフェイスコネクターの２種類に加えて、たとえばゲーム機やデジタルカメラ等の２種類の携帯電子機器）を充電駆動することができる。もちろん充電源装置２は、４種類の電子機器と、２種類の専用充電器との組み合わせを任意に選択できる（例えば携帯電話機用の専用充電器でゲーム機等を充電できる）。
【００５０】
図４は、本発明の第二の変形例に係る充電源装置３の斜視図である。充電源装置１と同一の機能を有する構成要素には同一の符号を付してそれらの説明は省略する。
【００５１】
充電源装置３は、充電源装置２に、さらに本体３０の底面３４に第３の入力コネクター２３（たとえばＵＳＢミニコネクタ）を設けたものであり、第３の入力コネクター２３を携帯電話機の専用充電器以外の外部電源装置、たとえばパーソナルコンピュータのＵＳＢコネクタ（電源が出力されるコネクタ）に接続できるようになっている（第２のコネクター部２０は第１〜第３の入力コネクタ２１〜２３を有している）。ここで第１の蓋部４０と同様にして本体３０の底面３４に設けられた第２の蓋部４３が、第３の入力コネクター２３の防塵性を高めている。
【００５２】
こうした充電源装置３は、４種類の電子機器と、３種類の充電器（例えば２種類の携帯電話機専用充電器とパーソナルコンピュータのＵＳＢコネクタ）との組み合わせを任意に選択できる。
【００５３】
図５は、本発明の第三の変形例に係る充電源装置４の斜視図である。充電源装置１および２と同一の機能を有する構成要素には同一の符号を付してそれらの説明は省略する。
【００５４】
充電源装置４では、凹部３７が本体３０の前面３５及び背面３６側に２つの壁部を有している。そして、第１のコネクター部１０Ｂは、本体３０の前面３５及び背面３６に直交する回転軸に、図５中で矢印Ｙ方向に少なくとも２７０度、好ましくは３６０度以上回転可能に、支持部３８で支持されて、第１のコネクター部１０Ｂの４つの周面（本体３０の前面３５及び背面３６に直交するように位置づけられた４つの周面）には、それぞれ第１〜第４の出力コネクター１２〜１５が設けられている。そして第１のコネクター部１０Ｂを回転させることで、第１〜第４の出力コネクター１２〜１５の任意の出力コネクターを、本体３０の上面３３にほぼ直立する位置に突出させることができる。かくして、充電源装置４は、４種類の電子機器と、２種類の専用充電器の電源との組み合わせを任意に選択できる。
【００５５】
なお第１のコネクター部の回転ヘッド部を図６に示すように、断面８角形を有するものとして（回転ヘッド部１１Ａ）、本体３０の前面３５及び背面３６に直交するように位置づけられた８つの周面上に、１周面の間隔を設けて、第１〜第４の出力コネクター１２〜１５を設けても良い。
【００５６】
なお本件発明は、上述した実施形態に限定されるものではなく、本件発明の趣旨を逸脱しない範囲で適宜変形できることはいうまでもない。
【産業上の利用可能性】
【００５７】
上述したように、本願によれば、充電源装置の構成パーツを可能な限り少なくして、充電源装置の小型軽量化を可能とするとともに、個別パーツの紛失や持ち忘れを防ぐことができる。さらに、複数の電子機器（たとえば携帯電話機等）に接続するための複数種類の充電コネクター（第１のコネクター部のコネクター）を狭いスペースに配置して、電子機器を駆動および充電することができ、携帯電子機器と外部電源（たとえば充電器）の組み合わせを任意に選択することができる。
【００５８】
また各コネクターを覆う蓋部を備えることで、コネクターの防塵対策にすぐれた充電源装置充電源装置を提供することができる。さらに充電源装置がメモリー回路を備えることで、別構成パーツ等を充電源装置と別に携行する必要がなく、小型軽量化でより利便性を高めることができる。
【００５９】
さらに、本願によれば、一つの筺体中に全体を納めるような構造とすることができる。たとえば携帯型ライター風の外観を備えたもの（図１）とすることで、小型化が図れるのみならず、デザイン上もすぐれた装置を形成することができる。以上よりしたがって、本願は、携帯電話等の通信機器産業を始め、広く情報産業、電気機器産業にとっても、大いなる利用可能性がある。
【符号の説明】
【００６０】
１、２、３、４  充電源装置
１０  第１のコネクター部
１１  第１の回転ヘッド部
１２  第１の入力コネクター
１３  第２の入力コネクター
２０  第２のコネクター部
２１  第１の入力コネクター
２２  第２の入力コネクター
３０  本体
３８  第１の支持部
４０  第１の蓋部
４３  第２の蓋部
【図１】
2011182566.tif 000003
【図１Ａ】
2011182566.tif 000004
【図２】
2011182566.tif 000005
【図３】
2011182566.tif 000006
【図４】
2011182566.tif 000007
【図５】
2011182566.tif 000008
【図６】
2011182566.tif 000009
【図１Ｂ】
2011182566.tif 000010
【図１Ｃ】
2011182566.tif 000011